(57)【要約】  筐体２の両面のそれぞれにタッチパネル１０ａ，１０ｂを有する携帯端末１において、タッチパネル１０ａ，１０ｂにて接触操作が同時に行われた場合、その接触操作の組み合わせに応じた動作を実行する。
2013118522.tif 000002
【特許請求の範囲】
【請求項１】
筐体の第１の面に設けられ、接触操作が行われる第１の接触操作部と、筐体の前記第１の面に対向する第２の面に設けられ、接触操作が行われる第２の接触操作部と、前記第１及び第２の接触操作部にて行われた接触操作による入力に応じた動作を実行する制御手段とを有する携帯端末において、
前記制御手段は、前記第１の接触操作部と前記第２の接触操作部とにて接触操作が同時に行われた場合、当該接触操作の組み合わせに応じた動作を実行することを特徴とする携帯端末。
【請求項２】
請求項１に記載の携帯端末において、
前記制御手段は、前記第１の接触操作部に対する接触操作と前記第２の接触操作部に対する接触操作とが互いに対向するような軌跡を描いた場合、当該軌跡に応じた動作を実行する携帯端末。
【請求項３】
請求項２に記載の携帯端末において、
前記制御手段は、前記接触操作の軌跡が、前記第１及び第２の接触操作部のそれぞれの端部を通過した場合、当該通過した端部に応じて予め決められた動作を実行する携帯端末。
【請求項４】
請求項１に記載の携帯端末において、
前記携帯端末の傾きを検知する傾き検知手段を有し、
前記制御手段は、前記第１の接触操作部と前記第２の接触操作部とにて接触操作が同時に行われている状態において前記傾き検知手段にて検知された前記携帯端末の傾きに変化が生じた場合に、当該傾きの変化に応じて予め決められた動作を実行する携帯端末。
【請求項５】
請求項１に記載の携帯端末において、
前記携帯端末に加わる加速度を検知する加速度検知手段を有し、
前記制御手段は、前記第１の接触操作部と前記第２の接触操作部とにて接触操作が同時に行われている状態において前記加速度検知手段にて前記携帯端末に加わる加速度が検知された場合に、当該加速度の大きさ及び向きに応じて予め決められた動作を実行する携帯端末。
【請求項６】
２つの筐体が折り畳み可能に連接し、前記２つの筐体のそれぞれが、一方の面に設けられ、接触操作が行われる接触操作部を有し、さらに、前記接触操作部にて行われた接触操作による入力に応じた動作を実行する制御手段を有する携帯端末において、
前記制御手段は、前記２つの筐体が前記接触操作部が外側となるように折り畳まれた状態において、前記２つの筐体の接触操作部にて接触操作が同時に行われた場合、当該接触操作の組み合わせに応じた動作を実行することを特徴とする携帯端末。
【請求項７】
請求項６に記載の携帯端末において、
前記制御手段は、前記２つの筐体の接触操作部にて接触操作が同時に行われた場合、前記２つの筐体が折り畳まれていない状態と、前記２つの筐体が前記接触操作部が外側となるように折り畳まれた状態とで、異なる動作を実行する携帯端末。
【請求項８】
筐体の第１の面に設けられ、接触操作が行われる第１の接触操作部と、筐体の前記第１の面に対向する第２の面に設けられ、接触操作が行われる第２の接触操作部と、前記第１及び第２の接触操作部にて行われた接触操作による入力に応じた動作を実行する制御手段とを有する携帯端末の動作方法であって、
前記第１の接触操作部と前記第２の接触操作部とにて接触操作が同時に行われた場合、当該接触操作の組み合わせに応じた動作を実行する、携帯端末の動作方法。
【請求項９】
２つの筐体が折り畳み可能に連接し、前記２つの筐体のそれぞれが、一方の面に設けられ、接触操作が行われる接触操作部とを有し、さらに、前記接触操作部にて行われた接触操作による入力に応じた動作を実行する制御手段を有する携帯端末の動作方法であって、
前記２つの筐体が前記接触操作部が外側となるように折り畳まれた状態において、前記２つの筐体の接触操作部にて接触操作が同時に行われた場合、当該接触操作の組み合わせに応じた動作を実行する、携帯端末の動作方法。
【発明の詳細な説明】
【技術分野】
【０００１】
本発明は、携帯端末及びその動作方法に関し、特に、タッチパネルを用いて操作される携帯端末及びその動作方法に関する。
【背景技術】
【０００２】
近年、携帯端末としてスマートフォンの普及が著しい。スマートフォンは、情報表示面に対する接触操作を検知することによって動作するものであり、それにより、情報表示面の面積を広くすることができ、視認性の向上や情報量の拡大が図られる。【０００３】
ここで、携帯端末の一方の面を情報表示面とするとともに、携帯端末の両面にそれぞれタッチセンサーを設け、携帯端末両面のタッチセンサー上にて所望の情報をなぞるように指を動かしていくことにより、情報表示面に表示された情報を選択する技術が、特許文献１に開示されている。
【先行技術文献】
【特許文献】
【０００４】
【特許文献１】特開２００７−１４１０２９号公報
【発明の概要】
【発明が解決しようとする課題】
【０００５】
上述したように、特許文献１に開示された技術においては、携帯端末の両面においてタッチセンサー上にて所望の情報をなぞるように指を動かしていくことにより、情報表示面に表示された情報を選択するものであるため、携帯端末を片手で持った場合に２本の指を用いて情報を選択することができるものの、情報表示面に表示された情報に従って指を動かすことになり、通常のタッチパネルを用いた操作方法であることに何ら変わりはない。【０００６】
本発明は、上述したような技術が有する問題点に鑑みてなされたものであって、接触操作に応じた入力が行われる携帯端末に対して日常的な動作に応じた操作を行うことができる携帯端末及びその動作方法を提供することを目的とする。
【課題を解決するための手段】
【０００７】
上記目的を達成するために本発明による第１の携帯端末は、
筐体の第１の面に設けられ、接触操作が行われる第１の接触操作部と、筐体の前記第１の面に対向する第２の面に設けられ、接触操作が行われる第２の接触操作部と、前記第１及び第２の接触操作部にて行われた接触操作による入力に応じた動作を実行する制御手段とを有する携帯端末において、
前記制御手段は、前記第１の接触操作部と前記第２の接触操作部とにて接触操作が同時に行われた場合、当該接触操作の組み合わせに応じた動作を実行することを特徴とする。【０００８】
また、本発明による第２の携帯端末は、
２つの筐体が折り畳み可能に連接し、前記２つの筐体のそれぞれが、一方の面に設けられ、接触操作が行われる接触操作部を有し、さらに、前記接触操作部にて行われた接触操作による入力に応じた動作を実行する制御手段を有する携帯端末において、
前記制御手段は、前記２つの筐体が前記接触操作部が外側となるように折り畳まれた状態において、前記２つの筐体の接触操作部にて接触操作が同時に行われた場合、当該接触操作の組み合わせに応じた動作を実行することを特徴とする。【０００９】
また、本発明による第１の動作方法は、
筐体の第１の面に設けられ、接触操作が行われる第１の接触操作部と、筐体の前記第１の面に対向する第２の面に設けられ、接触操作が行われる第２の接触操作部と、前記第１及び第２の接触操作部にて行われた接触操作による入力に応じた動作を実行する制御手段とを有する携帯端末の動作方法であって、
前記第１の接触操作部と前記第２の接触操作部とにて接触操作が同時に行われた場合、当該接触操作の組み合わせに応じた動作を実行する。【００１０】
また、本発明による第２の動作方法は、
２つの筐体が折り畳み可能に連接し、前記２つの筐体のそれぞれが、一方の面に設けられ、接触操作が行われる接触操作部とを有し、さらに、前記接触操作部にて行われた接触操作による入力に応じた動作を実行する制御手段を有する携帯端末の動作方法であって、
前記２つの筐体が前記接触操作部が外側となるように折り畳まれた状態において、前記２つの筐体の接触操作部にて接触操作が同時に行われた場合、当該接触操作の組み合わせに応じた動作を実行する。
【発明の効果】
【００１１】
本発明は、接触操作に応じた入力が行われる携帯端末に対して、仮想的な対象（例えば、アイコン、データ、表示されない情報等）をつまむ、置く等といった日常的な動作に応じた操作を行うことができる。
【図面の簡単な説明】
【００１２】
【図１】本発明の携帯端末の実施の一形態を示す図であり、（ａ）は一方の面側から見た外観斜視図、（ｂ）は他方の面から見た外観斜視図である。
【図２】図１に示した携帯端末の内部構成の一例を示すブロック図である。
【図３】図１及び図２に示した携帯端末の動作方法の一例を説明するためのフローチャートである。
【図４】図１に示した携帯端末に対する接触操作の例を示す図である。
【図５】図３に示した動作方法において、タッチパネルに対する接触操作がタッチパネルの端部を通過するものである場合の携帯端末の動作方法を説明するためのフローチャートである。
【図６】図１に示した携帯端末に対する接触操作の例を示す図である。
【図７】図１に示した携帯端末の内部構成の他の例を示すブロック図である。
【図８】図７に示した構成を有する携帯端末の動作方法の一例を説明するためのフローチャートである。
【図９】図１に示した携帯端末に対する接触操作の例を示す図である。
【図１０】本発明の携帯端末の他の実施の形態を示す図であり、（ａ）は２つの筐体を見開いた状態の外観斜視図、（ｂ）は２つの筐体を折り畳んだ状態の外観斜視図である。
【図１１】図１０に示した携帯端末の内部構成の一例を示すブロック図である。
【図１２】図１０及び図１１に示した構成を有する携帯端末の動作方法の一例を説明するためのフローチャートである。
【発明を実施するための形態】
【００１３】
以下に、本発明の実施の形態について図面を参照して説明する。
【００１４】
図１は、本発明の携帯端末の実施の一形態を示す図であり、（ａ）は一方の面側から見た外観斜視図、（ｂ）は他方の面から見た外観斜視図である。また、図２は、図１に示した携帯端末１の内部構成の一例を示すブロック図である。
【００１５】
本形態は図１及び図２に示すように、平板状の筐体２の第１の面となる一方の面に、タッチパネル１０ａ、ディスプレイ２０、スピーカ３０及びマイク４０が設けられているとともに、筐体２の第１の面に対向する第２の面にタッチパネル１０ｂが設けられて構成されている。また、筐体２の側面にはサイドキー５０が設けられている。
【００１６】
ディスプレイ２０は、液晶等から構成されて情報表示部２１となり、ＣＰＵ８０の制御によって情報を表示する。
【００１７】
タッチパネル１０ａは、ディスプレイ２０上に設けられており、第１の接触操作部１１ａとなって、指等の接触体による接触操作が行われ、その接触操作を検知する。
【００１８】
スピーカ３０は、音声出力部３１となって、ＣＰＵ８０の制御によって、通信部６０を介して受信した通話音声を含む音声を出力する。
【００１９】
マイク４０は、音声入力部４１となって、音声が入力されるものである。
【００２０】
タッチパネル１０ｂは、第２の接触操作部１１ｂとなって、指等の接触体による接触操作が行われ、その接触操作を検知する。
【００２１】
サイドキー５０は、キーボタン部５１となって、携帯端末１を操作するための情報が入力されるものである。
【００２２】
通信部６０は、携帯端末網を介して情報を送受信する。
【００２３】
操作検出部１２は、接触操作部１１ａ，１１ｂに対して行われた接触操作による操作を判断し、ＣＰＵ８０に対してその操作に応じた入力を行う。
【００２４】
鳴動部７０は、ブザー等からなり、着信音等の音声を出力する。
【００２５】
ＣＰＵ８０は、メモリ（不図示）を内蔵し、携帯端末１全体を制御するものであって、操作検出部１２にて行われた入力に応じた動作を実行する。なお、このＣＰＵ８０と操作検出部１２とから本発明における制御手段が構成される。
【００２６】
以下に、上記のように構成された携帯端末１の動作方法について説明する。
【００２７】
図３は、図１及び図２に示した携帯端末１の動作方法の一例を説明するためのフローチャートである。
【００２８】
図１及び図２に示した携帯端末１において、タッチパネル１０ａに対して接触操作が行われ、接触操作部１１ａにて接触操作が検知され（ステップ１）、同時に、タッチパネル１０ｂに対しても接触操作が行われて接触操作部１１ｂにて接触操作が検知されると（ステップ２）、操作検出部１２において、接触操作部１１ａ，１１ｂにて検知された操作が判断され、タッチパネル１０ａに対する接触操作とタッチパネル１０ｂに対する接触操作とが、互いに対向するような軌跡を描いているかどうかが判断される（ステップ３）。なお、互いに対向するような軌跡とは、タッチパネル１０ａに対する接触操作とタッチパネル１０ｂに対する接触操作とが正確に対向した位置及び軌跡であるものに限らず、タッチパネル１０ａに対する接触操作とタッチパネル１０ｂに対する接触操作とが互いに対向する位置及び軌跡に対して若干ずれているものも含む。
【００２９】
タッチパネル１０ａに対する接触操作とタッチパネル１０ｂに対する接触操作とが、互いに対向するような軌跡を描いている場合、操作検出部１２において、その接触操作による軌跡が、タッチパネル１０ａ，１０ｂの内側から外側に向かうものであるかどうかが判断される（ステップ４）。
【００３０】
タッチパネル１０ａ，１０ｂに対する接触操作による軌跡が、それぞれタッチパネル１０ａ，１０ｂの内側から外側に向かってフリックするようなものである場合は、ＣＰＵ８０の制御によって、携帯端末１の動作のうち、携帯端末１をつまみ上げる、またはピックアップすることが想到できるような動作が実行される（ステップ５）。例えば、ディスプレイ２０上にサムネイル表示された複数の画像のうち、１つの画像に対して上述した操作が行われると、その画像が拡大表示される。
【００３１】
また、タッチパネル１０ａ，１０ｂに対する接触操作による軌跡が、それぞれタッチパネル１０ａ，１０ｂの外側から内側に向かってフリックするようなものである場合は、ＣＰＵ８０の制御によって、携帯端末１の動作のうち、携帯端末１を置く、または押さえることが想到できるような動作が実行される（ステップ６）。例えば、ディスプレイ２０上にサムネイル表示された複数の画像のうち、１つの画像に対して上述した操作が行われると、その画像に対して、クリッピングやキャプチャが実行される。
【００３２】
また、タッチパネル１０ａに対する接触操作とタッチパネル１０ｂに対する接触操作とが、互いに対向するような軌跡を描いていない場合は、操作検出部１２において、タッチパネル１０ａに対する接触操作の軌跡と、タッチパネル１０ｂに対する接触操作の軌跡とが、それぞれ予め決められた軌跡を描いているかどうかが判断され（ステップ７）、予め決められた軌跡を描いている場合は、ＣＰＵ８０の制御によって、その軌跡に応じた動作が実行される（ステップ８）。例えば、ディスプレイ２０上にサムネイル表示された複数の画像のうち、１つの画像に対してタッチパネル１０ａ，１０ｂに接触した状態から、タッチパネル１０ａに対しては上側から下側に向かってフリックし、タッチパネル１０ｂに対しては下側から上側に向かってフリックすると、その画像が消去される。また、ブラウザが起動する動作等であってもよい。
【００３３】
図４は、図１に示した携帯端末１に対する接触操作の例を示す図である。
【００３４】
図４（ａ）に示すように、親指３によるタッチパネル１０ａに対する接触操作の軌跡と、人差し指４によるタッチパネル１０ａに対する接触操作の軌跡とが、それぞれタッチパネル１０ａ，１０ｂの内側から外側に向かってフリックするようなものである場合は、上述したように、携帯端末１をつまみ上げることが想到できるような動作が実行される。
【００３５】
また、図４（ｂ）に示すように、親指３によるタッチパネル１０ａに対する接触操作の軌跡と、人差し指４によるタッチパネル１０ａに対する接触操作の軌跡とが、それぞれタッチパネル１０ａ，１０ｂの外側から内側に向かってフリックするようなものである場合は、上述したように、携帯端末１を置くことが想到できるような動作が実行される。
【００３６】
また、図４（ｃ）に示すように、親指３によるタッチパネル１０ａに対する接触操作の軌跡と、人差し指４によるタッチパネル１０ａに対する接触操作の軌跡とが、タッチパネル１０ａにおいては親指３によって上側から下側に向かってフリックするようなものであり、タッチパネル１０ｂにおいては人差し指４によって下側から上側に向かってフリックするようなものである場合は、上述したように、その軌跡に応じて決められた動作が実行される。
【００３７】
なお、上述したように、接触操作の軌跡の始点に表示された画像に対する処理を行うのではなく、接触操作の軌跡の終点に表示された画像に対する処理を行ってもよい。
【００３８】
また、タッチパネル１０ａに対して接触操作が行われ、接触操作部１１ａにて接触操作が検知されたものの、タッチパネル１０ｂに対しては接触操作が行われずに接触操作部１１ｂにて接触操作が検知されなかった場合は、ＣＰＵ８０の制御によって、タッチパネル１０ａに対する接触操作に応じた動作が実行されることになる（ステップ９）。例えば、ディスプレイ２０上の接触位置に表示された情報に応じた動作が実行される。
【００３９】
なお、ステップ５において、タッチパネル１０ａ，１０ｂに対する接触操作の軌跡が、それぞれタッチパネル１０ａ，１０ｂの外側から内側に向かってフリックするようなものであると判断された場合に、その後のタッチパネル１０ａ，１０ｂに対する接触操作の軌跡が、タッチパネル１０ａ，１０ｂの端部を通過したかどうかによって携帯端末１の動作を制御することも考えられる。
【００４０】
図５は、図３に示した動作方法において、タッチパネル１０ａ，１０ｂに対する接触操作がタッチパネル１０ａ，１０ｂの端部を通過するものである場合の携帯端末１の動作方法を説明するためのフローチャートである。
【００４１】
タッチパネル１０ａ，１０ｂに対する接触操作による軌跡が、それぞれタッチパネル１０ａ，１０ｂの内側から外側に向かってフリックするようなものであって、タッチパネル１０ａ，１０ｂの端部を通過したことが操作検出部１２にて判断された場合は（ステップ１１）、操作検出部１２において、接触操作によって通過した端部がタッチパネル１０ａ，１０ｂそれぞれの４つの端部のうちどの端部であるかが判断され（ステップ１２）、ＣＰＵ８０の制御によって、接触操作によって通過した端部に応じた動作が実行される（ステップ１３）。
【００４２】
図６は、図１に示した携帯端末１に対する接触操作の例を示す図である。
【００４３】
例えば、ブラウザ使用時に、図６に示すように、親指３によるタッチパネル１０ａに対する接触操作の軌跡と、人差し指４によるタッチパネル１０ａに対する接触操作の軌跡とが、タッチパネル１０ａ，１０ｂの上辺端部を通過した場合、ディスプレイ２０に表示されているオブジェクト・ページのＵＲＬを電子メールで送信したり、引用して投稿したりする動作を実行する。
【００４４】
また、タッチパネル１０ａ，１０ｂのそれぞれには、４つの端部が存在するため、タッチパネル１０ａ，１０ｂに対する接触操作の軌跡が、タッチパネル１０ａ，１０ｂの左右いずれかの辺端部を通過した場合は、ブックマーク登録を行い、下辺端部を通過した場合は、そのオブジェクトデータの保存を行なうというように、接触操作の軌跡が通過する端部によって実行する動作を設定しておけば、タッチパネル１０ａ，１０ｂの通過する端部に応じて実行する動作を異ならせることができる。
【００４５】
また、タッチパネル１０ａ，１０ｂに対する接触操作の軌跡が、タッチパネル１０ａ，１０ｂの端部を通過しない場合は、ステップ５における処理に移行する。
【００４６】
図７は、図１に示した携帯端末１の内部構成の他の例を示すブロック図である。
【００４７】
本例は図７に示すように、図２に示したものに対して傾き検知部９０が新たに設けられている点が異なるものである。傾き検知部９０は、携帯端末１の傾きを検知するものであって、加速度センサを用いて地球の重力加速度を計測することによって携帯端末１の傾きを検知する。
【００４８】
以下に、上記のように構成された携帯端末１の動作方法について説明する。
【００４９】
図８は、図７に示した構成を有する携帯端末１の動作方法の一例を説明するためのフローチャートである。
【００５０】
図１に示した携帯端末１において、タッチパネル１０ａに対して接触操作が行われ、接触操作部１１ａにて接触操作が検知され（ステップ２１）、同時に、タッチパネル１０ｂに対しても接触操作が行われて接触操作部１１ｂにて接触操作が検知されると（ステップ２２）、操作検出部１２において、接触操作部１１ａ，１１ｂにて検知された接触操作による接触位置が判断され、タッチパネル１０ａにおける接触位置とタッチパネル１０ｂにおける接触位置とが、互いに対向する位置であるかどうかが判断される（ステップ２３）。
【００５１】
タッチパネル１０ａにおける接触位置とタッチパネル１０ｂにおける接触位置とが、互いに対向する位置である場合、ＣＰＵ８０において、傾き検知部９０にて検知された携帯端末１の傾きに変化が生じているかどうかが判断される（ステップ２４）。
【００５２】
傾き検知部９０にて検知された携帯端末１の傾きに変化が生じている場合は、ＣＰＵ８０の制御によって、携帯端末１の動作のうち、鍵をかけることが想到できるような動作が実行される（ステップ２５）。例えば、傾き検知部９０にて検知された携帯端末１の傾きが９０度以上変化している場合、携帯端末１の操作を禁止とするロックモードに移行する。
【００５３】
図９は、図１に示した携帯端末１に対する接触操作の例を示す図である。
【００５４】
図９に示すように、親指３によるタッチパネル１０ａの接触位置と、人差し指４によるタッチパネル１０ｂの接触位置とが互いに対向した状態において、携帯端末１を９０度以上回転させると、上述したように、携帯端末１の操作を禁止とするロックモードに移行する。
【００５５】
また、傾き検知部９０にて検知された携帯端末１の傾きに変化が生じていない場合は、ＣＰＵ８０の制御によって、タッチパネル１０ａ，１０ｂにおける接触位置に応じた動作が実行される（ステップ２６）。例えば、ディスプレイ２０上の接触位置に表示された情報に応じた動作が実行される。
【００５６】
また、タッチパネル１０ａに対して接触操作が行われ、接触操作部１１ａにて接触操作が検知されたものの、タッチパネル１０ｂに対しては接触操作が行われずに接触操作部１１ｂにて接触操作が検知されなかった場合は、ＣＰＵ８０の制御によって、タッチパネル１０ａに対する接触操作に応じた動作が実行されることになる（ステップ２７）。例えば、ディスプレイ２０上の接触位置に表示された情報に応じた動作が実行される。
【００５７】
なお、加速度センサを傾き検知部９０として用いるのではなく、加速度検知手段として用い、ＣＰＵ８０において、加速度センサにて検知された加速度の大きさ及び向きに応じて予め決められた動作を実行してもよい。
【００５８】
（他の実施の形態）
図１０は、本発明の携帯端末の他の実施の形態を示す図であり、（ａ）は２つの筐体を見開いた状態の外観斜視図、（ｂ）は２つの筐体を折り畳んだ状態の外観斜視図である。また、図１１は、図１０に示した携帯端末１０１の内部構成の一例を示すブロック図である。
【００５９】
本形態は図１０及び図１１に示すように、平板状の２つの筐体１０２ａ，１０２ｂが折り畳み可能に連接したものであって、筐体１０２ａ，１０２ｂのそれぞれにおいて、折り畳み状態外側となる面にディスプレイ１２０ａ，１２０ｂ及びタッチパネル１１０ａ，１１０ｂが設けられて構成されている。また、筐体１０２ａのディスプレイ１２０ａ及びタッチパネル１１０ａが設けられた面には、スピーカ１３０及びマイク１４０が設けられており、筐体１０２ｂの側面にはサイドキー１５０が設けられている。
【００６０】
これらタッチパネル１１０ａ，１１０ｂ、ディスプレイ１２０ａ，１２０ｂ、スピーカ１３０、マイク１４０及びサイドキー１５０と、これらによって構成される接触操作部１１１ａ，１１１ｂ、情報表示部１２１ａ，１２１ｂ、音声出力部１３１、音声入力部１４１及びキーボタン部１５１、さらに、携帯端末１０１内の操作検出部１１２、通信部１６０、鳴動部１７０及びＣＰＵ１８０は、図１及び図２に示したものと同様の動作を実行する。
【００６１】
以下に、上記のように構成された携帯端末１０１の動作方法について説明する。
【００６２】
図１２は、図１０及び図１１に示した構成を有する携帯端末１０１の動作方法の一例を説明するためのフローチャートである。
【００６３】
図１０に示した携帯端末１０１において、タッチパネル１１０ａに対して接触操作が行われ、接触操作部１１１ａにて接触操作が検知され（ステップ３１）、同時に、タッチパネル１１０ｂに対しても接触操作が行われて接触操作部１１１ｂにて接触操作が検知されると（ステップ３２）、ＣＰＵ１８０において、携帯端末１０１が図１（ｂ）に示したようにタッチパネル１１０ａ，１１０ｂ及びディスプレイ１２０ａ，１２０ｂが外側となるように折り畳まれた状態であるかどうかが判断される（ステップ３３）。
【００６４】
携帯端末１０１が図１（ｂ）に示したようにタッチパネル１１０ａ，１１０ｂ及びディスプレイ１２０ａ，１２０ｂが外側となるように折り畳まれた状態である場合、ステップ３における処理に移行する。
【００６５】
また、携帯端末１０１が図１（ａ）に示したように折り畳まれていない状態である場合は、ＣＰＵ１８０の制御によって、タッチパネル１１０ａ，１１０ｂに対する接触操作に応じた動作が実行される（ステップ３４）。なお、この動作は、ステップ３における動作とは異なり、それにより、タッチパネル１１０ａ，１１０ｂのそれぞれに対して接触操作が行われている場合に、携帯端末１０１が図１（ａ）に示したような状態と、携帯端末１０１が図１（ｂ）に示したような状態とで、異なる動作が実行されることになる。
【００６６】
このように、携帯端末１０１が図１（ａ）に示したような状態と、携帯端末１０１が図１（ｂ）に示したような状態とで、異なる動作が実行されることで、携帯端末１０１が図１（ｂ）に示したように折り畳まれていない状態においては、タップ、ダブルタップ、フリック、ドラッグ、ピンチイン／アウト等の基本操作に応じた動作を実行し、携帯端末１０１が図１（ａ）に示したように折り畳まれた状態においては、本願発明のように、日常的な動作に応じた操作を実行することができる。
【００６７】
また、タッチパネル１１０ａに対して接触操作が行われ、接触操作部１１１ａにて接触操作が検知されたものの、タッチパネル１１０ｂに対しては接触操作が行われずに接触操作部１１１ｂにて接触操作が検知されなかった場合は、ＣＰＵ１８０の制御によって、タッチパネル１１０ａに対する接触操作に応じた動作が実行されることになる（ステップ３５）。例えば、ディスプレイ１２０ａ上の接触位置に表示された情報に応じた動作が実行される。
【００６８】
なお、上述したようにＣＰＵ８０，１８０が実行する動作としては、ブラウザ使用時のブックマーク登録、電子書籍使用時のしおり挿入、データ閲覧時のクリップボード登録及びデータ保存、画面のキャプチャ、動画閲覧時の保存（録画）の開始・終了、データのステータス変更（未承認→承認済み等）等が考えられる。さらには、新着メッセージ受信、ウェブ上の状態情報更新、通信手段（WLAN、Bluetooth等）の切り替え・Ｏｎ／Ｏｆｆ、通話のオフフック・保留・オンフック、マナーモード設定等が考えられる。
【００６９】
以上、実施形態を参照して本願発明を説明したが、本願発明は、上記実施形態に限定されたものではない。本願発明の構成や詳細には、本願発明のスコープ内で当業者が理解し得る様々な変更を行うことができる。
【００７０】
この出願は、２０１２年２月８日に出願された日本出願特願２０１２−０２４９２４号公報を基礎とする優先権を主張し、その開示の全てをここに取り込む。
【符号の説明】
【００７１】
１，１０１    携帯端末
２，１０２ａ，１０２ｂ筐体
３    親指
４    人差し指
１０ａ，１０ｂ，１１０ａ，１１０ｂ    タッチパネル
１１ａ，１１ｂ，１１１ａ，１１１ｂ    接触操作部
１２，１１２    操作検出部
１３    端部
２０，１２０ａ，１２０ｂ    ディスプレイ
２１，１２１ａ，１２１ｂ    情報表示部
３０，１３０    スピーカ
３１，１３１    音声出力部
４０，１４０    マイク
４１，１４１    音声入力部
５０，１５０    サイドキー
５１，１５１    キーボタン部
６０，１６０    通信部
７０，１７０    鳴動部
８０，１８０    ＣＰＵ
９０    傾き検知部
【図１】
2013118522.tif 000003
【図２】
2013118522.tif 000004
【図３】
2013118522.tif 000005
【図４】
2013118522.tif 000006
【図５】
2013118522.tif 000007
【図６】
2013118522.tif 000008
【図７】
2013118522.tif 000009
【図８】
2013118522.tif 000010
【図９】
2013118522.tif 000011
【図１０】
2013118522.tif 000012
【図１１】
2013118522.tif 000013
【図１２】
2013118522.tif 000014
【国際調査報告】
2013118522.tif 000015
2013118522.tif 000016
2013118522.tif 000017
2013118522.tif 000018
2013118522.tif 000019
2013118522.tif 000020
2013118522.tif 000021